(57)【要約】      （修正有）【課題】特に、上腕二頭筋、上腕三頭筋、三角筋、腹筋および胸筋の効果のあるフィットネス器具を提供する。【解決手段】固定持ち手１と、可動持ち手２と、付勢機構とを有し、付勢機構は、ガイドロッド３とスプリング４を有し、ガイドロッドが固定持ち手と接続され、スプリングと可動持ち手とがガイドロッドの外部に外挿され、可動持ち手の両端がそれぞれ固定持ち手とスプリングとに当接し、可動持ち手がスプリングを押圧するように構成されている。【選択図】図１
0003224656.tif 000002
【実用新案登録請求の範囲】
【請求項１】
固定持ち手と、可動持ち手と、付勢機構とを有し、
前記付勢機構は、ガイドロッドとスプリングとを有し、
前記ガイドロッドが前記固定持ち手と接続され、前記スプリングと前記可動持ち手とが前記ガイドロッドの外部に外挿され、前記可動持ち手の両端がそれぞれ前記固定持ち手と前記スプリングとに当接し、前記可動持ち手が前記スプリングを押圧するように構成されている
ことを特徴とするフィットネス器具。
【請求項２】
前記ガイドロッドが少なくとも２つ設置され、
前記ガイドロッドがいずれも前記固定持ち手と接続される
ことを特徴とする請求項１に記載のフィットネス器具。
【請求項３】
複数の前記ガイドロッドが間隔をあけて平行に設置され、
前記ガイドロッドのそれぞれに１つ又は複数の前記スプリングが外挿される
ことを特徴とする請求項２に記載のフィットネス器具。
【請求項４】
前記固定持ち手が２つ設置され、２つの前記固定持ち手がそれぞれ前記ガイドロッドの両端に設置接続され、
前記可動持ち手が２つ設置され、２つの前記可動持ち手がそれぞれ前記ガイドロッドの両端に外挿され、前記可動持ち手の両側がそれぞれ前記スプリングと前記固定持ち手に当接するように構成されている
ことを特徴とする請求項２又は３に記載のフィットネス器具。
【請求項５】
前記固定持ち手には、複数の前記ガイドロッドとそれぞれ接続され且つ前記ガイドロッドの数と同数の複数の接続部が設けられることを特徴とする請求項２〜４のいずれか１項に記載のフィットネス器具。
【請求項６】
前記接続部に前記固定持ち手を貫通する第１ねじ孔が設けられ、それぞれの前記ガイドロッドの端部の側壁に第２ねじ孔が開設され、それぞれの前記ガイドロッドの端部が前記固定持ち手に挿嵌され、ボルトが前記第１ねじ孔と前記第２ねじ孔を挿通するように構成されることを特徴とする請求項５に記載のフィットネス器具。
【請求項７】
前記可動持ち手には、前記ガイドロッドが挿通され且つ前記ガイドロッドの数と同数の複数の貫通孔が設けられることを特徴とする請求項２〜６のいずれか１項に記載のフィットネス器具。
【請求項８】
前記可動持ち手は、ジョイントと横ロッドとを有し、
前記ジョイントは、前記横ロッドと接続されるとともに前記ガイドロッドの外部に外挿され、その両端がそれぞれ前記固定持ち手と前記スプリングとに当接する
ことを特徴とする請求項２〜７のいずれか１項に記載のフィットネス器具。
【請求項９】
前記ジョイントの前記スプリングに隣接する端に環状係合溝が設けられ、前記スプリングの一端が前記環状係合溝と係合する
ことを特徴とする請求項８に記載のフィットネス器具。
【請求項１０】
前記横ロッドに第１滑り止めカバーが外挿され、
前記固定持ち手に、外部に第２滑り止めカバーが外挿される手持ち部が設けられる
ことを特徴とする請求項８又は９に記載のフィットネス器具。
【考案の詳細な説明】
【技術分野】
【０００１】
本出願は、フィットネス器具の技術分野に属し、具体的に、フィットネス器具に関し、特に、上腕二頭筋、上腕三頭筋、三角筋、腹筋および胸筋を効果を得るトレーニングするためのフィットネス・トレーニング器具に関する。
【背景技術】
【０００２】
経済の発展、社会の進歩に従って、健康がますます重視され、フィットネスもますます人気になっており、市場に種々のフィットネス器材が現れている。一般の家庭用器具は、１種のトレーニングしかできないトレーニング器具であり、これらの１種のトレーニングしかできないトレーニング器具でトレーニングする場合、例えば腕、胸部および肩の筋肉の多部位に同時に力を入れる必要がある。しかしながら、狙いがはっきりしなくなり、いずれの部位の筋肉に対しても刺激が十分でなく、筋肉に対するトレーニング効果が理想ではない。
【０００３】
従来技術によるトレーニング器具のトレーニング効果が理想ではない。例えば、上腕三頭筋をベンチプレスでトレーニングする際、上腕三頭筋と胸筋とがともに働くようになり、一部だけに対して刺激できないので、トレーニング効果が理想的ではなく、単一部位に対するトレーニングの要求に応えることができない。
【考案の概要】
【考案が解決しようとする課題】
【０００４】
本出願は、狙いがはっきりし、少なくとも上腕二頭筋、上腕三頭筋、三角筋、腹筋および胸筋に対するトレーニングを実現でき、期待のトレーニングの効果を得ることができるフィットネス器具を提供する。
【課題を解決するための手段】
【０００５】
本出願の実施例は、以下のように実現できる。
本出願の実施例によるフィットネス器具は、固定持ち手と、可動持ち手と、付勢機構とを有し、前記付勢機構は、ガイドロッドとスプリングとを有し、前記ガイドロッドが前記固定持ち手と接続され、前記スプリングと前記可動持ち手とが前記ガイドロッドの外部に外挿され、前記可動持ち手の両端がそれぞれ前記固定持ち手と前記スプリングとに当接し、前記可動持ち手が前記スプリングを押圧するように構成されている。
【０００６】
前記ガイドロッドが少なくとも２つ設置され、前記ガイドロッドがいずれも前記固定持ち手と接続されることが好ましい。
【０００７】
前記ガイドロッドのそれぞれに１つ又は複数の前記スプリングが外挿されることが好ましい。
【０００８】
複数の前記ガイドロッドが間隔をあけて平行に設置されることが好ましい。
【０００９】
前記固定持ち手が２つ設置され、２つの前記固定持ち手がそれぞれ前記ガイドロッドの両端に設置接続されることが好ましい。
【００１０】
前記可動持ち手が２つ設置され、２つの前記可動持ち手がそれぞれ前記ガイドロッドの両端に外挿され、前記可動持ち手の両側が前記スプリングと前記固定持ち手に当接するように構成されていることが好ましい。
【００１１】
前記可動持ち手が１つ設置され、１つの前記可動持ち手が前記ガイドロッドの任意の一端に外挿され、前記可動持ち手の両側が前記スプリングと前記固定持ち手に当接し、前記ガイドロッドの他端においてスプリングが前記固定持ち手に当接するように構成されていることが好ましい。
【００１２】
前記固定持ち手には、複数の前記ガイドロッドとそれぞれ接続され且つ前記ガイドロッドの数と同数の複数の接続部が設けられることが好ましい。
【００１３】
前記接続部に前記固定持ち手を貫通する第１ねじ孔が設けられ、それぞれの前記ガイドロッドの端部の側壁に第２ねじ孔が開設され、それぞれの前記ガイドロッドの端部が前記固定持ち手に挿嵌され、ボルトが前記第１ねじ孔と第２ねじ孔を挿通するように構成されることが好ましい。
【００１４】
前記可動持ち手には、前記ガイドロッドが挿通され且つ前記ガイドロッドの数と同数の複数の貫通孔が設けられることが好ましい。
【００１５】
前記可動持ち手は、ジョイントと横ロッドとを有し、前記ジョイントは、前記横ロッドと接続されるとともに前記ガイドロッドの外部に外挿され、その両端がそれぞれ前記固定持ち手と前記スプリングとに当接することが好ましい。
【００１６】
前記横ロッドと前記ジョイントとを一体成形させることが好ましい。
【００１７】
前記ガイドロッドの数と同数の前記ジョイントを有することが好ましい。
【００１８】
前記ジョイントの前記スプリングに隣接する端に環状係合溝が設けられ、前記スプリングの一端が前記環状係合溝と係合することが好ましい。
【００１９】
前記横ロッドに第１滑り止めカバーが外挿されることが好ましい。
【００２０】
前記スプリングは、自然長が前記ガイドロッドの長さより大きく、前記可動持ち手が前記スプリングを押圧するように構成されることが好ましい。
【００２１】
前記固定持ち手に、外部に第２滑り止めカバーが外挿される手持ち部が設けられることが好ましい。
【考案の効果】
【００２２】
本出願は、例えば以下のような有益な効果を有している。本出願によるフィットネス器具は、固定持ち手と、可動持ち手と、付勢機構とを有し、付勢機構は、ガイドロッドとスプリングを有し、ガイドロッドが固定持ち手と接続され、スプリングと可動持ち手とがガイドロッドの外部に外挿され、可動持ち手の両端がそれぞれ固定持ち手とスプリングとに当接し、可動持ち手がスプリングを押圧するように構成されている。付勢機構における可動持ち手の位置変化によりガイドロッドの外部に外挿されるスプリングを押圧する可動持ち手の運動によって付勢力が発生するので、様々な持ち方および可動持ち手を把持して様々な方向に運動させることにより、上腕二頭筋、上腕三頭筋、三角筋、腹筋又は胸筋に対して単独に刺激し、効果的にトレーニングすることができる。よって、いずれの利用者にも適し、環境や場所にこだわらずいつでもどこでもトレーニングでき、上腕二頭筋、上腕三頭筋、三角筋、腹筋又は胸筋に対してトレーニングし、期待の効果を得ることができる。
【図面の簡単な説明】
【００２３】
以下、本出願の実施例の技術案をより明瞭に説明するため、実施例に必要な図面を簡単に説明する。下記の図面は、本出願のいくつかの実施例を示したものに過ぎず、範囲を限定するものではない。当業者は、発明能力を用いなくても、これらの図面に基づいてその他の関連図面を得ることが可能である。
【図１】本出願の実施例によるフィットネス器具の全体構成の模式図である。
【図２】本出願の実施例によるフィットネス器具の部分構成の模式図である。
【図３】本出願の実施例によるフィットネス器具の固定持ち手の断面構成の模式図である。
【図４】本出願の実施例によるフィットネス器具の可動持ち手の断面構成の模式図である。
【考案を実施するための形態】
【００２４】
本出願の実施例の目的、技術案及び利点をより明瞭にするため、以下、本出願の実施例に用いられる図面を参照しながら、本出願の実施例における技術案を明瞭且つ完全に説明し、説明される実施例が本出願の実施例の一部に過ぎず、すべての実施例ではないことは無論である。ここで、図面を用いて示した本出願の実施例における部品は、様々な配置方法で配置、設計されることができる。
【００２５】
このため、以下の、図面に示された本出願の実施例に対する詳細な説明は、保護しようとする本出願の範囲を制限するものではなく、本出願の選択された実施例を示すものに過ぎない。本出願の実施例をもとに、当業者が発明能力を用いることなく得たすべてのその他の実施例は、いずれも本出願の保護範囲に属する。
なお、同様の符号は、図面において同様の項目を示すので、一項目が１つの図面で定義された場合、その後の図面で当該項目をさらに定義、解釈することが不要になる。
【００２６】
本出願の説明において、「内」、「外」等の用語で表された方向又は位置関係は、図面に基づくものであり、或いは該出願に係る製品の常用の配置の方向又は位置関係であり、本出願を便宜上、及び簡略に説明するためのものに過ぎず、該当装置又は素子が、必ず定められた方向を有したり、定められた方向に構成されたり、操作されたり、することを明示又は暗示するものではないため、本出願を限定するものではないと理解すべきである。また、用語「第１」、「第２」等は、区別して説明するためのものに過ぎず、相対重要性を明示又は暗示するものではないと理解すべきである。
【００２７】
さらに、本出願の説明において、明確な定義と限定がない限り、「設置」、「接続」の用語は、広義的に理解すべきである。例えば、固定接続でもよいし、取外し可能な接続でもよいし、一体的な接続でもよい。そして、機械的な接続でもよいし、電気的な接続でもよい。また、直接に接続してもよいし、中間物を介して間接に接続してもよいし、２つの素子の内部が連通してもよい。当業者は、本出願における上記用語の具体的な意味を、具体的な状況に応じて理解することが可能である。
【００２８】
図１〜図４に示すように、本出願の実施例によるフィットネス器具は、固定持ち手１と、可動持ち手２と、付勢機構５とを有し、付勢機構５は、ガイドロッド３とスプリング４を有し、ガイドロッド３が固定持ち手１と接続され、スプリング４と可動持ち手２とがガイドロッド３の外部に外挿され、可動持ち手２の両端がそれぞれ固定持ち手１とスプリング４とに当接し、可動持ち手２がスプリング４を押圧するように構成されている。
【００２９】
固定持ち手１とガイドロッド３とが取外し可能に接続されてもよい。ガイドロッド３の外部に外挿されるスプリング４の付勢力の大きさを調整することができるので、利用者に応じて付勢力を調整し、段階を追って進めるトレーニングが図れ、異なる各利用者によりよく適用することができる。
【００３０】
図１に示すように、本実施例において、固定持ち手１と付勢機構５とをフィットネス器具の基本構成とし、可動持ち手２と付勢機構５の付勢部とをトレーニング用の可動部としている。使用する際に、利用者は、片方の手で固定持ち手１を把持し、他方の手で可動持ち手２を把持し、可動持ち手２に力をかけて、スプリング４を押圧することにより、トレーニングすることができる。または、付勢機構５の両端のそれぞれに可動持ち手２を設置し、利用者は、両手で可動持ち手２のそれぞれを把持し、可動持ち手２に力をかけて、スプリング４の両端から押圧することにより、両腕をトレーニングすることができる。
【００３１】
本出願は、例えば以下のような有益な効果を有している。本出願によるフィットネス器具は、固定持ち手１と、可動持ち手２と、付勢機構５とを有し、付勢機構５は、ガイドロッド３とスプリング４を有し、ガイドロッド３が固定持ち手１と接続され、スプリング４と可動持ち手２とがガイドロッド３の外部に外挿され、可動持ち手２の両端がそれぞれ固定持ち手１とスプリング４とに当接し、可動持ち手２がスプリング４を押圧するように構成されている。付勢機構５における可動持ち手２の位置変化によりガイドロッド３の外部に外挿されるスプリング４を押圧する可動持ち手２の運動によって付勢力が発生するので、様々な持ち方および可動持ち手２を把持して様々な方向に運動させることによって、上腕二頭筋、上腕三頭筋、三角筋、腹筋又は胸筋に対して単独に刺激し、効果的にトレーニングすることができる。よって、いずれの利用者に適し、環境や場所にこだわらずいつでもどこでもトレーニングでき、上腕二頭筋、上腕三頭筋、三角筋、腹筋又は胸筋に対してトレーニングし、期待の効果を得ることができる。
【００３２】
付勢機構５は、ガイドロッド３を少なくとも２つ有し、ガイドロッド３のそれぞれが固定持ち手１と接続される。
【００３３】
本実施例において、付勢機構が有する付勢構成としてスプリング４を設置し、スプリング４として圧縮スプリングを用いることが好ましい。従って、可動持ち手２でスプリング４が押圧されるとき、スプリング４の反発力が身体に作用し、トレーニングの効果を達することができる。具体的に、スプリング４は、抵抗トレーニング器具の主要の作用部であり、ガイドロッド３は、スプリング４の支持構成として、スプリング４を固定するものであり、可動持ち手２は、付勢力を発生させるようにスプリング４を押圧するものである。様々な持ち方および可動持ち手２を把持して様々な方向に運動させることによって、スプリング４で様々な方向の反発力が発生し、上腕二頭筋、上腕三頭筋、三角筋、腹筋又は胸筋に対して単独に刺激し、効果的にトレーニングすることができる。
【００３４】
１つのガイドロッド３に１つ又は複数のスプリング４を外挿することが可能である。異なる利用者に適する付勢力の大きさもそれぞれ異なるので、異なる利用者の付勢力の要求に応えるため、各ガイドロッド３にそれぞれ１つのスプリング４又は複数のスプリング４を外挿できるようにする。つまり、ガイドロッド３に１つのスプリング４が外挿された場合、本実施例によるフィットネス器具が最小負荷のものになり、力が小さい初心者に適することができる。そして、トレーニング強度を上げようとする場合、スプリング４の数をだんだん増やすことができる。
【００３５】
なお、各ガイドロッド３にそれぞれ複数のスプリング４が設置される場合、隣接する２つのスプリング４を直接当接させてもよく、連結リングを介して接続させてもよい。具体的に、連結リングの両側にそれぞれ環状溝が設けられ、連結リングの両側に位置するスプリング４が環状溝内に挿嵌されることによって、複数のスプリング４の間の安定性が確保される。
【００３６】
また、異なる負荷規格のスプリング４を複数用意してもよい。例えば、初心者向けの負荷のスプリング４、中級者向けの負荷のスプリング４および上級者向けの負荷のスプリング４を用意することが可能であり、スプリング４のそれぞれのばね定数が上記の順で大きくなるので、異なる利用者が、それぞれ異なる負荷規格のスプリング４を選択してトレーニングすることができる。つまり、ガイドロッド３に１つの初心者向けの負荷のスプリング４が外挿される場合、本実施例によるフィットネス器具が最小負荷のものになり、力が小さい初心者に適することができる。そして、トレーニング強度を上げようとする場合、順により大きい負荷のスプリング４に交換してトレーニングすることができる。
【００３７】
複数のガイドロッド３が間隔をあけて平行に設置されてもよい。平行に設置されるとともにそれぞれスプリング４が外挿されるガイドロッド３を２つ設置することが好ましい。トレーニングする際に、利用者が各ガイドロッド３におけるスプリング４を押圧するように可動持ち手２を移動させることによって、トレーニングの目的を達する。
【００３８】
また、複数のガイドロッド３が設置される場合、ガイドロッド３のそれぞれにもスプリング４が設置されるので、トレーニングの負荷も倍増している。従って、負荷を増やしてトレーニングしようとするとき、さらにガイドロッド３の数を増やせばよいので、それぞれの利用者の要求に応えることができる。
【００３９】
図１に示すように、固定持ち手１が２つ設置されてもよく、２つの固定持ち手１がそれぞれガイドロッド３の両端に設置接続されている。
【００４０】
本実施例において、固定持ち手１が２つ設置されているので、２つの固定持ち手１でガイドロッド３の両端において可動持ち手２とスプリング４を制限することができ、従って、２つの固定持ち手１およびガイドロッド３で可動持ち手２とスプリング４を１つの固定のフレーム内に制限することができる。また、トレーニングおよび使用を容易にするように、２つの固定持ち手１と２つのガイドロッド３により矩形のものを構成することが好ましい。
【００４１】
可動持ち手２が２つ設置されてもよく、２つの可動持ち手２は、それぞれガイドロッド３の両端に外挿されるとともに、その両側がそれぞれスプリング４と固定持ち手１に当接するように構成される。
【００４２】
本実施例において、２つの固定持ち手１と２つの可動持ち手２とを有する構成を用いて説明を行う。本実施例の構成により、左右両腕の上腕二頭筋を鍛えることができる。
動作の要領：フィットネス器具を胸の前の部位まで持ち上げ、片方の手で（手のひらを前側に向け）胸に近い側の固定持ち手１を把持し、他方の手で（手のひらを身体側に向け）胸に近い側の反対側の可動持ち手２を把持し、スプリング４を最大荷重になるまで最大限圧縮させるように力を入れて可動持ち手２を押圧する。このような運動により上腕二頭筋が刺激され、上記の動作を多数回繰り返すことにより上腕二頭筋をトレーニングする効果を得ることができる。
【００４３】
本実施例の構成により、左右両腕の上腕三頭筋を鍛えることができる。
動作の要領：フィットネス器具を床に立設し、即ち、一端の固定持ち手１を床に置き、浅くしゃがみながら、片方の手で（手のひらを下側に向け）上方の固定持ち手１を把持し、他方の手で（手のひらを下側に向け）上方の可動持ち手２を把持し、スプリング４を突き当たりへ最大限圧縮させるように力を入れて可動持ち手２を床の方へ押す。このような運動により上腕三頭筋が刺激され、上記の動作を多数回繰り返すことにより上腕三頭筋をトレーニングする効果を得ることができる。
【００４４】
本実施例の構成により、左右両側の三角筋を鍛えることができる。
動作の要領：フィットネス器具を水平に持ち、一端の固定持ち手１を脇下の部位に置き、片方の手で（手のひらを前側に向け）身体側の固定持ち手１を把持し、他方の手で（手のひらを下側に向け）他端の可動持ち手２を把持し、力を入れてスプリング４を最大限まで圧縮する（身体の方向へ）。このような運動により三角筋が刺激され、上記の動作を多数回繰り返すことにより三角筋をトレーニングする効果を得ることができる。
【００４５】
本実施例の構成により、左右両側の胸筋を鍛えることができる。
動作の要領：フィットネス器具を胸の前で横方向水平に持ち、左右の手で（手心相向）それぞれスプリング４の両端の可動持ち手２を把持して、同時に力を入れてスプリング４を最大限まで内部へ押す。このような運動により胸筋が刺激され、上記の動作を多数回繰り返すことにより胸筋をトレーニングする効果を得ることができる。
【００４６】
本実施例の構成により、左右両側の腹筋を鍛えることができる。
動作の要領：利用者が椅子に座って、フィットネス器具を立設し、一端の固定持ち手１を両股に置き、両手で他端の可動持ち手２を把持し、上半身を前に傾けて腹部を締め、スプリング４を最大限まで圧縮する。このような運動により腹筋が刺激され、上記の動作を多数回繰り返すことにより腹筋をトレーニングする効果を得ることができる。
【００４７】
可動持ち手２が１つ設置されてもよく、可動持ち手２がガイドロッド３の任意の一端に外挿され、可動持ち手２の両側がそれぞれスプリング４と固定持ち手１に当接するとともに、ガイドロッド３の他端においてスプリング４が固定持ち手１に当接する。
【００４８】
本実施例において、可動持ち手２が１つだけ設置される場合、スプリング４の一端が固定持ち手１に当接し、他端が可動持ち手２に当接するので、片方の部分をトレーニングする場合、可動持ち手２を移動させる安定性およびスプリング４を押圧するときの安定性を確保でき、設計が多様になる。
【００４９】
固定持ち手１には、複数のガイドロッド３とそれぞれ接続され且つガイドロッド３の数と同数の複数の接続部が設けられても良い。
【００５０】
接続部に固定持ち手１を貫通する第１ねじ孔１１が設けられ、それぞれのガイドロッド３の端部の側壁に第２ねじ孔が開設され、それぞれのガイドロッド３の端部が固定持ち手１に挿嵌され、第１ねじ孔１１と第２ねじ孔を挿通してボルトで接続されてもよい。第１ねじ孔１１と第２ねじ孔がねじ貫通孔であることが好ましい。
【００５１】
本実施例において、ガイドロッド３として、円柱状の金属ロッドが２本設置され、固定持ち手１の端部に第１ねじ孔１１が設けられ、ガイドロッド３の端部が固定持ち手１の端部が挿入されたあと、第１ねじ孔と第２ねじ孔を挿通してボルトでガイドロッド３と固定持ち手１が固定接続されている。スプリング４を交換する必要がある場合、ボルトを外して、固定持ち手１とガイドロッド３を分離させればスプリング４の交換を行うことができる。
【００５２】
可動持ち手２には、ガイドロッド３が挿通され且つガイドロッド３の数と同数の複数の貫通孔が設けられてもよい。
【００５３】
また、可動持ち手２における貫通孔が、取り付けられるガイドロッド３の数より多く設けられてもよい。例えば、可動持ち手２における貫通孔が３つ設けられ、ガイドロッド３が２つだけ取り付けられてもよい。今後、必要に応じて、可動持ち手２のガイドロッド３が挿通されていない貫通孔に対してガイドロッド３を追加することができるので、汎用性を備える可動持ち手２が図れる。
【００５４】
可動持ち手２は、ジョイント２１と横ロッド２２とを有し、ジョイント２１は、横ロッド２２と接続するとともに、ガイドロッド３の外部に外挿され、両端がそれぞれ固定持ち手１とスプリング４とに当接するように構成してもよい。
【００５５】
ガイドロッド３の数と同数のジョイント２１を有してもよい。
【００５６】
可動持ち手２の強度および可動持ち手２のガイドロッド３への取り付けをよりよく確保するため、ジョイント２１がガイドロッド３の外部に直接外挿され、そして、複数のジョイント２１がそれぞれ横ロッド２２と固定接続されるように構成されてもよい。ジョイント２１がガイドロッド３の外部に外挿される場合、スプリング４がジョイント２１に当接し、利用者が横ロッド２２を把持して横ロッド２２に力を入れることにより、操作をより容易にすることができる。
【００５７】
ここで、横ロッド２２とジョイント２１との接続は、例えば溶接、カシメ、係合等の多種があり、横ロッド２２とジョイント２１とを一体成形させてもよい。
【００５８】
ジョイント２１のスプリング４に隣接する端に環状係合溝２３が設けられ、スプリング４の一端が環状係合溝２３と係合するように構成されてもよい。
【００５９】
スプリング４は、自然長がガイドロッド３の長さより大きく、スプリング４に対して可動持ち手２による押圧力がかけられるように構成されてもよい。
【００６０】
本実施例において、スプリング４のガイドロッド３での設置をより安定にするため、ジョイント２１のスプリング４に隣接する端に、スプリング４と係合できる環状係合溝２３が設けられ、そして、スプリング４の自然長がガイドロッド３の長さより大きいので、ジョイント２１がガイドロッド３の両端に外挿された場合、スプリング４を押圧する状態になる。このため、スプリング４の端部がジョイント２１の環状係合溝２３に係合するように設置されるとき、スプリング４の揺れがよりよく抑えられ、スプリング４の安定性を向上させることができる。
【００６１】
また、環状係合溝２３の側壁に、スプリング４の端部と係合できる挿脱可能なピン又は伸縮可能な弾性突起が設置されてもよく、これによってスプリング４の取り付けの安定性をより向上させることができる。
【００６２】
本実施例において、各部品を組み立てた場合、スプリング４が圧縮される状態になっており、一定の復元力を有する。可動持ち手２がスプリング４の付勢力により固定持ち手１としっかりと接触し、揺らされてもガタが発生しない。スプリング４は、端部が環状係合溝２３と係合するので、可動持ち手２の移動過程において圧縮されても、不用意に外れることがなく、スプリング４の安定性を向上させた。
【００６３】
図１に示すように、横ロッド２２に第１滑り止めカバー６１が外挿されてもよい。固定持ち手１に、第２滑り止めカバー６２が外部に外挿される手持ち部が設置されてもよい。
【００６４】
よりよく把持できるように、固定持ち手１の手持ち部に第２滑り止めカバー６２が外挿され、そして可動持ち手２の横ロッド２２に柔らかい第１滑り止めカバー６１が外挿されるように構成されてもよく、これによって長時間の運動で出てくる手のひらの汗による滑りを防止することができる。第１滑り止めカバー６１と第２滑り止めカバー６２は、スポンジからなる滑り止めカバーであってもよい。
【００６５】
本実施例において、ガイドロッド３に外挿される可動持ち手２の位置変化により、圧力が発生するようにスプリング４が圧縮され、さらに、異なる持ち方や可動持ち手２を把持して異なる方向に運動させることにより、上腕二頭筋、上腕三頭筋、三角筋、腹筋又は胸筋に対して単独に刺激でき、顕著なトレーニング効果を得ることができる。そして、固定持ち手１を外して、ガイドロッド３に外挿されるスプリング４の数を増減し又は異なる規格のスプリング４を交換することにより圧力を調整することができるので、力が異なる利用者にも適用できる。可動持ち手２を短く移動させる力が小さい利用者と可動持ち手２を長く移動させる力が大きい利用者とのいずれに対して、筋肉が効果的に刺激され、トレーニングの効果を得ることができる。そして、本実施例によるフィットネス器具は、環境や場所にこだわらずいつでもどこでもトレーニングできる。さらに、立ち姿勢でも、座り姿勢でも、横になる姿勢でも、それぞれのトレーニング動作を行うことができる。従って、フィットネス器材が汎用性を備えるようになり、幅広く応用することができる。
【００６６】
上記は、本出願の好ましい実施例にすぎず、本出願を限定するものではない。当業者にとって、本出願に対して種々の変更や変化を行うことも可能である。本出願の精神および主旨内の如何なる変更、均等置換、改良等も、本出願の保護範囲に属する。
【産業上の利用可能性】
【００６７】
本出願の実施例によるフィットネス器具は、上腕二頭筋、上腕三頭筋、三角筋、腹筋又は胸筋に対して単独に刺激でき、期待のトレーニングの効果を得ることができる。
【符号の説明】
【００６８】
１    固定持ち手
１１  第１ねじ孔
２    可動持ち手
２１  ジョイント
２２  横ロッド
２３  環状係合溝
３    ガイドロッド
４    スプリング
５    付勢機構
６１  第１滑り止めカバー
６２  第２滑り止めカバー
【図１】
0003224656.tif 000003
【図２】
0003224656.tif 000004
【図３】
0003224656.tif 000005
【図４】
0003224656.tif 000006